(57)【要約】【課題】外部ＣＰＵへ電源供給をする安定化電源回路の出力電圧が何らかの原因で正常な電圧が出力されない場合、外部ＣＰＵのリセット端子へのリセット信号を正常に動作する電源検出リセットシステムを提供する。【解決手段】電源スタート回路１と、前記電源スタート回路１により起動される安定化電源回路２と、前記安定化電源回路２の出力電圧Ｖｏｕｔ３を電源とする外部ＣＰＵ９と、電源スタート回路１より起動開始／停止されるリセット回路５と、任意の電圧を出力する基準電圧６と、前記基準電圧６と安定化電源回路２を比較する比較回路７と、その比較回路７の出力とリセット回路５の出力を入力とする２入力ＡＮＤ回路８の構成を有し、安定化電源回路２の出力電圧Ｖｏｕｔ３を検出して、外部ＣＰＵ９へのリセット解除／検出を制御した電源検出リセットシステム。【選択図】図１
2005188939.tif 000002
【特許請求の範囲】
【請求項１】
安定化電源回路を起動させる電源スタート回路と、
前記の信号で起動を開始する安定化電源回路と、
電源スタート回路より受けた信号を外部ＣＰＵに発信するリセット回路と、
安定化電源回路の出力電圧をモニタし基準電圧と比較をする比較回路と、
比較回路とリセット回路の出力信号を受けた２入力ＡＮＤ回路と、
前記出力信号を受ける外部ＣＰＵを備えることを特徴とする電源監視リセットシステム。
【請求項２】
安定化電源回路の出力電圧が任意の電圧に可変されても、比較回路の検出レベルを可変させることにより、リセット解除／検出信号を出力できることを特徴とする請求項１記載の電源監視リセットシステム。
【発明の詳細な説明】
【技術分野】
【０００１】
本発明は、外部ＣＰＵの安定化電源電圧を検出し、外部ＣＰＵのリセット信号を制御するものであり、電源電圧を監視してリセット信号を発生させるシステムに関するものである。
【背景技術】
【０００２】
以下、図面を参照しながら従来のリセットシステムについて説明する。
【０００３】
図２は従来のリセットシステムの回路例を示すブロック図である。
【０００４】
図２において、１１は電源スタート回路、１２は安定化電源回路、１３は前記安定化電源回路１２より出力される出力電圧（Ｖｏｕｔ）、１４はコンデンサ(Ｃ１)、１５は電源スタート回路１１から出力される信号によって動作するリセット回路、１６は前記リセット回路１５より出力されるリセット信号を受けて動作を開始する外部ＣＰＵが接続された構成になっている。
【０００５】
以上のように構成されたリセットシステムについて、以下その動作を説明する。従来のシステムでは、外部ＣＰＵ１６の電源として供給する安定化電源回路１２が電源スタート回路１１より出力された起動信号を入力して動作開始となり、前記安定化電源回路１２よりＶｏｕｔ１３が出力される。そして、Ｖｏｕｔ１３は外部ＣＰＵ１６に電源供給を行う。また、電源スタート回路１１より出力された起動信号を入力信号として動作開始を行うリセット回路１５が働き、外部ＣＰＵ１６のリセット解除信号を発信し、外部ＣＰＵのリセットが解除されることで、リセットシステムの一連の処理は完了する（例えば、特許文献１参照）。
【特許文献１】特開平０５−１８０８７７号公報
【発明の開示】
【発明が解決しようとする課題】
【０００６】
しかしながら、従来の構成では、安定化電源回路１２が電源スタート回路１１より起動信号を受けても、Ｖｏｕｔ１３が誤動作、短絡など何らかの原因で正常な電圧が出力されない場合でも、リセット回路１５の出力信号が外部ＣＰＵ１６のリセット端子に解除信号が入力され、誤動作の原因という問題になっていた。
【０００７】
本発明は、上記従来技術の問題点を解決するもので、安定化電源回路１２より出力されるＶｏｕｔ１３が正常な電圧を出力できない場合にはリセット解除信号を発信しないで、外部ＣＰＵ１６のリセット動作状態のままで誤動作を防止したシステムを提供することを目的とする。
【課題を解決するための手段】
【０００８】
この目的を達成するために本発明の電源監視リセットシステムは、電源スタート回路と、前記電源スタート回路により起動される安定化電源回路と、前記安定化電源回路の出力電圧を電源とする外部ＣＰＵと、電源スタート回路より起動開始／停止されるリセット回路と、任意の電圧を出力する基準電圧と、前記基準電圧と安定化電源回路を比較する比較回路とその比較回路の出力とリセット回路の出力を入力とする２入力ＡＮＤ回路を具備していることを特徴とする電源監視リセットシステムの構成を有している。
【０００９】
この構成によって、安定化電源回路より出力される出力電圧Ｖｏｕｔが任意の正常な電圧を出力できない場合にはリセット解除信号を出力しないで、外部ＣＰＵのリセット動作状態のままで誤動作を防止したシステムを提供することが可能となる。
【発明の効果】
【００１０】
以上のように本発明の電源監視リセットシステムは、安定化電源回路２が電源スタート回路１より起動開始信号を受けても、Ｖｏｕｔ３が何らかの原因で任意の電圧に達しない場合、比較回路７がＶｏｕｔ３をモニタし結果を検出して外部ＣＰＵ９のリセットを解除されず、外部ＣＰＵ９の誤動作が防止できるという有利な効果が得られる。
【発明を実施するための最良の形態】
【００１１】
以下、本発明の実施形態について、図面を参照しながら詳細に説明する。図１は本発明の第１の実施形態を示す回路ブロック図である。図１において、１は電源スタート回路、２は安定化電源回路、３は安定化電源回路出力電圧（Ｖｏｕｔ）、４はコンデンサ（Ｃ１）、５はリセット回路、６は基準電圧、７は比較回路、８は２入力ＡＮＤ回路、９は外部ＣＰＵである。
【００１２】
回路構成としては、電源スタート回路１の出力信号を安定化電源回路２とリセット回路５の入力信号として接続され、Ｖｏｕｔ３は外部ＣＰＵ９の電源電圧として接続される。また、Ｖｏｕｔ３の出力電圧は比較回路７に入力され、比較回路７のもう一方に基準電圧６が接続されその出力結果が２入力ＡＮＤ回路８の入力に接続される。そして、２入力ＡＮＤ回路８のもう片方にはリセット回路５の出力が接続され、２入力ＡＮＤ回路８の出力が外部ＣＰＵ９のリセット入力端子に接続され、リセット解除／検出を行うものである。
【００１３】
以上のように構成された電源監視リセットシステムについて、その動作について説明する。
【００１４】
初めに電源スタート回路１が動作を開始し、安定化電源回路２が十分動作可能な電圧まで達すると起動信号を出力し、安定化電源回路２はその起動信号で動作を開始する。そして、安定化電源回路２の出力電圧であるＶｏｕｔ３の電圧値が任意の一定電圧を出力し、外部ＣＰＵ９の電源電圧として供給が可能となる。また、リセット回路５は、安定化電源回路２と同様に電源スタート回路１より、起動信号を入力して動作を開始し、リセット解除信号のハイレベルを出力し２入力ＡＮＤ回路８の片方に入力される。一方で、Ｖｏｕｔ３の電圧値を比較回路７が基準電圧６の電圧値と比較して、Ｖｏｕｔ３が任意の電圧値に達した場合、比較回路７はリセット解除のハイレベルを出力し、２入力ＡＮＤ回路８のもう片方へ入力される。２入力ＡＮＤ回路８の入力が両方ともハイレベルである場合、外部ＣＰＵ９へのリセット解除信号として、ハイレベルが出力され外部ＣＰＵ９のリセット入力端子に入力されてリセットが解除される。
【００１５】
次に、安定化電源回路２が動作しているにも関わらず、誤動作やＶｏｕｔ３の短絡など何らかの原因でＶｏｕｔ３に任意の正常な電圧が出力されなかった場合、外部ＣＰＵ９には正常な電源電圧を供給できないので、Ｖｏｕｔ３を検出している比較回路７が基準電圧６と比較し、Ｖｏｕｔ３電圧が外部ＣＰＵ９を動作させるのに適さない電圧であることを検出して、２入力ＡＮＤ回路８へはローレベルを入力し、２入力ＡＮＤ回路８の出力はローレベルとなり、外部ＣＰＵ９のリセットは解除されない。
【００１６】
また、電源スタート回路１が安定化電源回路２にオフ信号を出力した場合もＶｏｕｔ３出力が低下し、比較回路７は基準電圧６と比較して外部ＣＰＵ９へ正常な電圧を供給できないと検出し、ローレベルを出力する。一方でリセット回路５も電源スタート回路１よりオフ信号を受けて、ローレベルを２入力ＡＮＤ回路８へ入力される。その結果、外部ＣＰＵ９へはローレベルが入力され、リセットがかかることになる。
【００１７】
前記の動作説明において、安定化電源回路２の一定電圧を出力するＶｏｕｔ３が可変可能な出力電圧の場合でも、比較回路７の内部の入力電圧レベルを可変させることにより、任意のＶｏｕｔ３の出力電圧に対応し、外部ＣＰＵ９のリセット解除／検出に対応が可能である。
【００１８】
以上のように本発明の実施形態によれば、安定化電源回路２より出力されるＶｏｕｔ３が任意の正常な電圧を出力できない場合には、リセット信号をローレベルとして外部ＣＰＵ９のリセット動作状態となる誤動作を防止したシステムを提供することが可能となる。
【産業上の利用可能性】
【００１９】
以上説明したように、本発明の電源監視リセットシステムは、外部ＣＰＵの電源供給の電圧検出によるリセット解除／検出システムに有用である。
【図面の簡単な説明】
【００２０】
【図１】本発明の実施形態における電源監視リセットシステムの回路ブロック図
【図２】従来のリセットシステムの回路ブロック図
【符号の説明】
【００２１】
１、１１  電源スタート回路
２、１２  安定化電源回路
３、１３  安定化電源回路出力（Ｖｏｕｔ）
４、１４  コンデンサ（Ｃ１）
５、１５  リセット回路
６  基準電圧
７  比較回路
８  ２入力ＡＮＤ回路
９、１６  外部ＣＰＵ
【図１】
2005188939.tif 000003
【図２】
2005188939.tif 000004